(57)【要約】【課題】  固定部と回転板に挟まれても事故に繋がらない回転ドアを提供する。【解決手段】  回転ドア１０の回転板１１は、透明なプラスチックシートから成る回転板柔軟部と硬質プラスチックから成る回転板固体部を備えている。回転板１１間には上下に移動可能なシャッター１４が設けられている。回転板１１に回転板柔軟部を有しているので、回転板１１と固定部１２に人が挟まれても重大な事故に繋がることを防止できる。  また、回転ドア１０の運転停止時にはシャッター１４によって回転ドア１１を閉鎖することができるので防犯に役立つ。【選択図】  図１
2005307584.tif 000002
【特許請求の範囲】
【請求項１】
柔軟部を有する回転板を有することを特徴とする回転ドア。
【請求項２】
前記柔軟部が透明なプラスチックのシートから成ることを特徴とする請求項１の回転ドア。
【請求項３】
回転ドアの停止時に閉鎖するためのシャッターを有することを特徴とする請求項１又は２の回転ドア
【請求項４】
外周方向に柔軟部を有し、軸方向に固体部を有する回転板と、該回転板の前記柔軟部と前記固体部に移動可能なシャッターを有することを特徴とする請求項１、２又は３の回転ドア。
【発明の詳細な説明】
【技術分野】
【０００１】
本発明は、ビル等の出入り口に設置される回転ドアに関する。
【背景技術】
【０００２】
ビルの出入り口には多くの回転ドアが設置されている。該回転ドアの役目は、回転ドアが稼働している時（通常は昼間）は冷暖房された室内の空気を室外に漏らさないようにしながら人の出入りを行うことであり、他の役目は回転ドアが稼働していない時（通常は夜間）は防犯のため閉鎖することである。
【０００３】
回転ドアは回転板によって常に室内と室外が仕切られているので、多くの人が出入りしても室内の空気と室外の空気との混合量が小さく、冷暖房の損失が少なく省エネルギーとなる。
【０００４】
回転ドアは、図４に示すように、垂直軸又は駆動部４に固定された３〜４枚の回転板３が回転するようになっているのが一般的である（例えば、非特許文献１等）。
【０００５】
【非特許文献１】松村明編、大辞林、第２版新装版、株式会社三省堂、２００２年１月１日、第４２１頁
【０００６】
さらに、回転ドア１は外部との仕切りとなる左右に円弧からなる固定部２、２を備えており、これら固定部２、２はそれぞれ支持体２ａ、２ａに支持されている。前記回転板３は通常ガラス又は透明な硬質プラスチックと枠で構成されており、人は回転板３の間に入り反対側に抜けられるようになっている。
しかし、回転ドア１に入る際に、回転板３と固定部２に挟まれて事項に繋がる危険性を有している。。
【発明の開示】
【発明が解決しようとする課題】
【０００７】
本発明は、回転する回転板と固定部に人が挟まれて事故となる危険を低減する回転ドアを提案するものである。さらに、回転ドアが停止している時は、防犯のため回転板を閉鎖するようにした回転ドアを提案するものである。
【課題を解決するための手段】
【０００８】
本発明の回転ドアは、柔軟性のある部分を有する回転板を有し、人が挟まれても事故に繋がらない構成となっている。また、回転が停止している時は回転板を閉鎖するためのシャッターを有し、防犯に役立つ。
【発明の効果】
【０００９】
本発明の回転ドアは、回転板に柔軟部を有しているので、回転板と固定部に人が挟まれても、事故に繋がらない。また、回転ドアにシャッターを有しているので、回転ドアの停止時にはシャッターによって閉鎖されて防犯に役立つ。
【発明を実施するための最良の形態】
【００１０】
図１に示すように、回転ドア１０は、左右に円弧からなる固定部１２、１２があり、３〜４枚の回転板１１が駆動部１４によって矢印向きに回転するように取り付けられている。固定部１２、１２はそれぞれ支持体１２ａ、１２ａに支持されている。そして、人は回転板１１の間に入り反対側に抜けられるようになっている。
本発明の回転ドア１０の回転板１１又は固定部１２は柔軟性を有している。固定部１２は実用的には柔軟性を持たせることは難しいので実用的には回転板１１に柔軟性を持たせるのが好適である。柔軟性を有する部分は回転板全体でも良いし、回転板１１の外周方向の一部でも良い。
【００１１】
前記柔軟性の部分が一部の場合は人が挟まれても事故に繋がらないように柔軟部の横幅が３０ｃｍ以上あることが必要である。
また、柔軟部の厚さは通常１ｍｍから１０ｍｍで、材質は軟質塩化ビニール、ポリエチレン、ポリプロピレン、ポリエステル等の軟質で透明なプラスチックのシートが使用される。柔軟部の上部は駆動部１３から伸びた腕（図示せず）に固定されており、下部は固定されていない自由端になっている。
【００１２】
回転板１１の柔軟部の厚さが５ｍｍ以上では自身の重さによって垂れ下がっているが、１〜５ｍｍでは下端に錘が必要である。
次に、本発明の回転ドア１０が防犯用のシャッターを有する実施例について説明する。
【実施例１】
【００１３】
図１に示すように、回転ドア１０のシャッター１４は多数の横バーを連結させたよろい戸で回転ドア１０が稼働中は回転板１１の上に巻き取られた状態で収納され、回転ドア１０が停止時は駆動部１３及び固定部１２に設けられたシャッターガイド１２ｂ、１３ａに沿って下降し、回転ドア１０を閉鎖する。この実施例１の場合は、回転板１１は全部柔軟性を有するシートで構成されるのが好適である。
【実施例２】
【００１４】
図２の要部平面図に示すように、回転板１１はガラス又は透明なプラスチックと枠でなる回転板固体部１１ａと柔軟なプラスチックでなる回転板柔軟部１１ｂで構成されている。回転板固体部１１ａにはガラス又は透明な硬質プラスチックと枠で構成されるシャッター１４ａが接続され、回転ドア１０の稼働時にはシャッター１４ａは回転板固体部１１ａと共に回転する。回転ドアの停止時にはシャッター１４ａは回転板柔軟部１１ｂ側にスライドして移動し固体部１２に設けられたロック手段（図示せず）にロックされ、回転板１１が閉鎖される。
【実施例３】
【００１５】
図３の要部平面図に示すように、回転板１１はガラス又は透明な硬質プラスチックと枠で構成される回転板固体部１１ａと柔軟なプラスチックで構成される回転板柔軟部１１ｂからなっている。回転板固体部１１ａにはガラス又は透明な硬質プラスチックと枠で構成されるシャッター１４ｂが接続され、回転ドア１０の稼働時にはシャッター１４ｂは回転板固体部１１ａと共に回転する。回転ドア１０の停止時にはシャッター１４ｂは回転板柔軟部１１ｂに対向するように回転して移動し固定部１２に設けられたロック手段（図示せず）ロックされ、回転板１１が閉鎖される。
【００１６】
このように、本発明の回転ドアは、回転板に柔軟部分を有しているので、回転板と固定部に人が挟まれても事故に繋がることを防止でき、さらに回転ドアの運転停止時にはシャッターによって閉鎖されるので防犯に役立つ。
【図面の簡単な説明】
【００１７】
【図１】本発明による回転ドアの平面図である。
【図２】本発明によるシャッターを有する回転ドアの実施例の要部平面図である。
【図３】本発明によるシャッターを有する回転ドアの他の実施例の要部平面図である。
【図４】従来の回転ドアの平面図である。
【符号の説明】
【００１８】
１０・・回転ドア  １１・・回転板  １１ａ・・回転板固体部  １１ｂ・・回転板柔軟部１２・・固定部  １４、１４ａ、１４ｂ・・シャッター
【図１】
2005307584.tif 000003
【図２】
2005307584.tif 000004
【図３】
2005307584.tif 000005
【図４】
2005307584.tif 000006